(57)【要約】【目的】自然環境に適して緩衝作用に優れた電子部品用梱包収納具を提供する。【構成】電子部品の収容された部品用小箱をダンボールからなる梱包用大箱に収納してなる電子部品用梱包収納具において、前記梱包用大箱内にはそれぞれがダンボール紙を折曲して形成され、前記梱包用大箱の内周に対面して緩衝材としての底バッドと天パッドとが配置され、前記底バッドは底部と前記底部の両側から上方に折り曲げられた底部折曲部とからなり、前記底部と前記底部折曲部との両辺部には前記梱包用大箱の底面及び側面に衝止する突出折曲部を有し、前記天パッドは天部と前記天部の両側から下方に折り曲げられて前記底部折曲部とは直交方向の天部折曲部とからなり、前記天部と前記天部折曲部との両辺部には前記梱包用大箱の天面及び側面に衝止する突出折曲部を有する構成とする。【選択図】図１
2005219792.tif 000002
【特許請求の範囲】
【請求項１】
電子部品の収容された部品用小箱をダンボールからなる梱包用大箱に収納してなる電子部品用梱包収納具において、
前記梱包用大箱内にはそれぞれがダンボール紙を折曲して形成され、前記梱包用大箱の内周に対面して緩衝材としての底バッドと天パッドとが配置され、
前記底バッドは底部と前記底部の両側から上方に折り曲げられた底部折曲部とからなり、前記底部と前記底部折曲部との両辺部には前記梱包用大箱の底面及び側面に衝止する突出折曲部を有し、
前記天パッドは天部と前記天部の両側から下方に折り曲げられて前記底部折曲部とは直交方向の天部折曲部とからなり、前記天部と前記天部折曲部との両辺部には前記梱包用大箱の天面及び側面に衝止する突出折曲部を有することを特徴とする電子部品用梱包収納具。
【請求項２】
前記底部折曲部の折曲辺には前記底面に衝止する突出部を有し、又は及び前記天部折曲部の折曲辺には前記天面に衝止する突出部を有する請求項１の電子部品用梱包収納具。
【請求項３】
前記電子部品は搬送テープに保持され、前記搬送テープはつづら折りされた請求項１の電子部品用梱包収納具。
【請求項４】
前記電子部品はリード線４ｂが導出した請求項１又は３の電子部品用梱包収納具。
【請求項５】
前記電子部品は水晶振動子４である請求項１、３又は４の電子部品用梱包収納具。
【発明の詳細な説明】
【技術分野】
【０００１】
本発明は水晶振動子等の電子部品を梱包収納した電子部品用梱包収納具を技術分野とし、特につづら折とした搬送テープに保持されて自然環境に適した水晶振動子の梱包収納具に関する。
【背景技術】
【０００２】
（発明の背景）水晶振動子４は周波数制御素子（周波数や時間の基準源）として周知され、各種電子機器の発振器等に組み込まれる。民生用では、一般品に、セット基板に対して自動装着すべく、例えば搬送テープに保持してつづら折として梱包収納し、ユーザーに出荷する。
【０００３】
（従来技術の一例）第３図は従来例を説明する水晶振動子を対象とした梱包収納具の断面図である。
【０００４】
梱包収納具は平面視矩形状とした梱包用大箱１からなり、振動子用小箱２の複数個を重ねて収納する。梱包用大箱１はダンボール紙から、振動子用小箱２はダンボール紙を含む紙製からなる。そして、梱包用大箱１の底面、天面及び側面との間隙には緩衝材としての板状や袋入りのバラ状とした発泡スチロール３（ａｂ）を介在させる。振動子用小箱２には水晶振動子４が収容される。
【０００５】
水晶振動子４は多数個が搬送テープ５に順次に保持され、例えばつづら折として振動子用小箱２に収容される（第４図）。なお、振動子本体から導出した一対のリード線４ｂが搬送テープ５に固定される。そして、ユーザは梱包用大箱１の開梱後、振動子用小箱２の水晶振動子４を自動装着機によってセット基板に搭載する。
【発明の開示】
【発明が解決しようとする課題】
【０００６】
（従来技術の問題点）しかしながら、上記構成の梱包収納箱では緩衝材として発泡スチロール３を使用するので、自然環境を害する問題があった。また、パルス状の衝撃には充分な緩衝効果を発揮するが、正弦波状の振動に対しては例えば水晶振動子４のリード線４ｂが折曲して緩衝効果が損なわれる問題があった。
【０００７】
（発明の目的）本発明は、自然環境に適して緩衝作用に優れた電子部品用梱包収納具を提供することを目的とする。
【課題を解決するための手段】
【０００８】
本発明（請求項１）では、電子部品の収容された部品用小箱をダンボール紙からなる梱包用大箱に収納してなる電子部品用梱包収納具において、前記梱包用大箱内にはそれぞれがダンボール紙を折曲して形成され、前記梱包用大箱の内周に対面して緩衝材としての底バッドと天パッドとが配置され、前記底バッドは底部と前記底部の両側から上方に折り曲げられた底部折曲部とからなり、前記底部と前記底部折曲部との両辺部には前記梱包用大箱の底面及び側面に衝止する突出折曲部を有し、前記天パッドは天部と前記天部の両側から下方に折り曲げられて前記底部折曲部とは直交方向の天部折曲部とからなり、前記天部と前記天部折曲部との両辺部には前記梱包用大箱の天面及び側面に衝止する突出折曲部を有する構成とする。
【発明の効果】
【０００９】
上記構成によれば、梱包用大箱及び緩衝材としての底パッド及び天パッドはいずれもダンボール紙からなるので、発泡スチロールを排除して自然環境に適したものになる。そして、緩衝材としての底パッド及び天パッドはいずれも底面又は天面及び側面に衝止する突出折曲部を有する。
【００１０】
したがって、底パッド及び天パッドと底面、天面及び側面との間にはギャップ（間隙）を生ずる。これにより、ダンボール紙の素材自体に加え、エアークッションとしての機能を持たせて充分な緩衝作用を発揮する。また、過度の衝撃に対しては突出折曲部が押し潰れてこれを吸収する。これらにより、正弦波的及びパルス的な衝撃を緩和して、例えばリード線の折れ曲がり等を防止する。
【発明を実施するための最良の形態】
【００１１】
本発明では、特許請求の範囲の請求項２に示したように、本発明（請求項１）における前記底部折曲部の折曲辺には前記底面に衝止する突出部を有し、又は及び前記天部折曲部の折曲辺には前記天面に衝止する突出部を有する。これにより、底面と底面との間隙を安定に維持して、緩衝作用をさらに高める。
【００１２】
同請求項３では、前記電子部品は搬送テープに保持され、前記搬送テープはつづら折りされる。同請求項４では前記電子部品はリード線が導出する。前記電子部品は水晶振動子とする。これらにより、本発明がより一層に具現化される。
【実施例】
【００１３】
第１図は本発明の一実施例を説明する図で、同図（ａ）は水晶振動子４の梱包収納具の組立分解図、同図（ｂ）は断面図である。なお、前従来例と同一部分には同番号を付与してその説明は簡略又は省略する。
【００１４】
梱包収納具は前述したように振動子用小箱２を梱包用大箱１に収納する。振動子用小箱２にはリード線４ｂの導出した水晶振動子４の保持された搬送テープ５がつづら折りされて収容される。ここでは、緩衝材としての底パッド６と天パッド７が梱包用大箱１内に挿入される。
【００１５】
梱包用大箱１並びに底パッド６及び天パッド７はいずれもダンボール紙からなる。底バッド６と天パッド７とは緩衝材として機能し、平板状のダンボール紙を折曲して形成される。そして、梱包用大箱１の内周に対面して配置される。
【００１６】
底パッド６は底部６ａと底部折曲部６ｂからなり、底部折曲部６ｂは底部６ａの両側から上方に折り曲げられてなる。底部６ａ及び底部折曲部６ｂの両辺部には底部突出折曲部６ｃが設けられ、梱包用大箱１の底面及び側面に衝止する。そして、底部折曲部６ｂの折曲辺には底部突出部６ｄが設けられて底面に衝止する。底部突出部６ｄは底部突出折曲部６ｃの高さと同じにする。
【００１７】
天パッド７は天部７ａと天部折曲部７ｂからなり、天部折曲部７ｂは天部７ａの両側から下方に折り曲げられてなる。但し、天部折曲部７ｂは底部折曲部６ｂに対して直交方向に配置される。天部７ａ及び天部折曲部７ｂの両辺部には天部突出折曲部７ｃが設けられて、梱包用大箱１の天面及び側面に衝止する。そして、天部折曲部７ｂの折曲辺には天部突出部７ｄが設けられて天面に衝止する。天部突出部７ｄは天部突出折曲部７ｃの高さと同じにする。
【００１８】
このようなものでは、梱包用大箱１の底面を閉じて天面を開放した状態で底パッド６の底部６ａ及び底部折曲部６ｂを底面及び側面に対面して挿入する。そして、振動子用小箱２を重ねて収容した後、天部折曲部７ｂを底部折曲部６ｂに直交させて側面に対面して天パッド７を挿入する。そして、天面を閉じて天部７ａに対面させ、ガムテープ８等により閉塞する。これにより、振動子用小箱２を梱包用大箱１に収納する。
【００１９】
このような構成であれば、発明の効果の欄に記載したように、梱包用大箱１及び緩衝材として機能する底パッド６及び天パッド７はいずれもダンボール紙とする。したがって、発泡スチロール３を排除して自然環境に適したものになる。
【００２０】
また、緩衝材としての底パッド６及び天パッド７はいずれも底面又は天面及び側面に衝止して内周面に対して間隙を持たせる突出折曲部６ｃ、７ｃを有する。したがって、ダンボール紙の素材自体に加え、エアークッションとしての機能を有するので、充分な緩衝作用を発揮する。これにより、正弦波状の衝撃を吸収する。
【００２１】
そして、過度の衝撃に対しては突出折曲部６ｃ、７ｃが例えば押し潰れてこれを吸収する。したがって、パルス的な衝撃を緩和する。これらにより、衝撃による例えばリーで線の折れ曲がり等を防止する。
【００２２】
（他の事項）上記実施例では、水晶振動子４用の梱包収納具として説明したが、抵抗・コンデンサ等の他の電子部品でも同様に適用できる。また、リード線４ｂの導出した水晶振動子４に限らず、表面実装用とした電子部品でもよい。さらには、搬送テープ５はつづら折としたが、リールに巻回した場合でも同様に適用できる。
【図面の簡単な説明】
【００２３】
【図１】本発明の一実施例を説明する水晶振動子用の梱包収納具の分解組立図である。
【図２】本発明の一実施例を説明する水晶振動子用の梱包収納具の図で、同図（ａ）は断面図、同図（ｂ）は梱包後の外観図である。
【図３】従来例を説明する梱包収納具の断面図である。
【図４】従来例を説明するつづら折とした水晶振動子の図である。
【符号の説明】
【００２４】
１  梱包用大箱、２  振動子用小箱、３  発泡スチロール、４  水晶振動子、５  搬送テープ、６  底バッド、７  天パッド、８  ガムテープ。
【図１】
2005219792.tif 000003
【図２】
2005219792.tif 000004
【図３】
2005219792.tif 000005
【図４】
2005219792.tif 000006